(57)【特許請求の範囲】
【請求項１】
砲身（３０）を備える砲架（４１）に薬室ドラム（２）が回転自在に支持され、間欠駆動機構（６）によつて間欠的に回転駆動される該薬室ドラム（２）の同一円周上に複数の薬室（２５）が形成され、後座及び復座の運動をしない給弾機（９）から薬室ドラム（２）の装填部（３）に供給された弾薬（２４）を間欠的に回転移動する薬室（２５）にランマ機構（４４）によつて装填した後に射撃を行い、砲架（４１）が駐退復座機構（４０）によつて後座及び復座すると共に、薬室（２５）内に残る薬莢（２４”）を薬室（２５）外に押し出すリボルバタイプ機関砲の弾薬受渡し方法であつて、
薬室ドラム（２）の外周に設けられて前記間欠駆動機構（６）によつて間欠的に回転駆動される第１歯車（４）と、弾薬（２４）を前記装填部（３）に給弾させる給弾機（９）の送弾爪車（１７）と一体回転する第２歯車（５）とを、砲架（４１）の復座時から後座時まで常時係合する幅を与えて噛合させ、間欠駆動機構（６）の回転駆動力を送弾爪車（１７）に伝達させ、送弾爪車（１７）に保持された弾薬（２４）を薬室ドラム（２）の装填部（３）に給弾することを特徴とするリボルバタイプ機関砲の弾薬受渡し方法。
【発明の詳細な説明】
【０００１】
【発明の属する技術分野】
本発明は、リボルバタイプ機関砲における給弾機から機関砲の装填部への弾薬受渡し方法に関するものである。
【０００２】
【従来の技術】
リボルバタイプ機関砲は、複数の薬室を同一円周上に等間隔に配置した薬室ドラムを間欠的に回転させ、給弾機から薬室ドラムの装填部に給弾された弾薬を順次に薬室に押し込み、押し込みを完了した薬室が薬室ドラムの前方に配置された砲身の位置に一致して停止している間に、薬室内の弾薬を発火して弾丸を発射する。この種の機関砲では、従来、給弾機内の弾薬を薬室ドラムの駆動力とは別個の外部の力で装填部に向けて常時押し付けておき、装填部の回転に応じて弾薬を押し込む方法が採られている。弾薬を外部の力で押し込む理由は、一般に給弾機は固定されており、装填部は射撃によつて前後に後座及び復座の運動をするため、装填部の回転駆動力と無関係な外部の動力で弾薬を押し込む方法が便宜なところにある。
【０００３】
【発明が解決しようとする課題】
しかして、このような従来のリボルバタイプ機関砲にあつては、次のような技術的課題を有している。すなわち、弾薬を装填部に押し込む力は、機関砲の発射速度の大小に影響されないよう、最大発射速度に応じ得るように設定される。このため、弾薬が給弾機から装填部に送り込まれるとき、次第に加速されて大きな速度になつた後に装填部に衝突して止まるようになり、その衝撃が大きくなる。これは、弾薬の送り込み中の速度が制御されていなく、衝突現象によつて弾薬が停止することに起因し、その衝撃力は発射速度が小さい場合でも無視できない大きさである。
【０００４】
このため、従来の弾薬は、この衝撃力に耐えて変形が起こらない構造及び強度を与えることになり、必然的に大きくかつ重くなるという技術的課題がある。加えて、給弾機から装填部までの送弾部自身も同様に高強度にする必要がある。
更に、弾薬が大きくかつ重くなることに起因して、弾薬の収納スペースが大となるのみならず、弾薬の移送、装填に要する力が大となり、機関砲が大形化するという技術的課題がある。
【０００５】
【課題を解決するための手段】
本発明は、このような従来の技術的課題に鑑みてなされたもので、その構成は、次の通りである。
請求項１の発明は、砲身３０を備える砲架４１に薬室ドラム２が回転自在に支持され、間欠駆動機構６によつて間欠的に回転駆動される該薬室ドラム２の同一円周上に複数の薬室２５が形成され、後座及び復座の運動をしない給弾機９から薬室ドラム２の装填部３に供給された弾薬２４を間欠的に回転移動する薬室２５にランマ機構４４によつて装填した後に射撃を行い、砲架４１が駐退復座機構４０によつて後座及び復座すると共に、薬室２５内に残る薬莢２４”を薬室２５外に押し出すリボルバタイプ機関砲の弾薬受渡し方法であつて、
薬室ドラム２の外周に設けられて前記間欠駆動機構６によつて間欠的に回転駆動される第１歯車４と、弾薬２４を前記装填部３に給弾させる給弾機９の送弾爪車１７と一体回転する第２歯車５とを、砲架４１の復座時から後座時まで常時係合する幅を与えて噛合させ、間欠駆動機構６の回転駆動力を送弾爪車１７に伝達させ、送弾爪車１７に保持された弾薬２４を薬室ドラム２の装填部３に給弾することを特徴とするリボルバタイプ機関砲の弾薬受渡し方法である。
【０００６】
【発明の実施の形態】
以下、本発明の実施の形態について図面を参照して説明する。
図１〜図４は、本発明に係る弾薬受渡し装置を備えるリボルバタイプ機関砲の１実施の形態を示す。図４中において符号１は後座及び復座運動を行なわない固定部材（例えば揺架）を示し、固定部材１の上には、駐退復座機構４０を介して砲架４１が取り付けられている。この砲架４１には、薬室ドラム２が回転自在に支持され、かつ、１個の砲身３０が前端下部に固設されている。砲架４１の中間部に閉鎖部４１ａが形成されている。この閉鎖部４１ａは、図２に示す下端部の薬室２５ｇの後面を閉鎖する。この閉鎖部４１ａには、撃発のための発火装置（図示せず）を設けてある。また、固定部材１には、薬室ドラム２に隣接させて、給弾機９が固設され、消費された弾薬２４が次々に薬室ドラム２に向けて補充される。
【０００７】
薬室ドラム２は、その前部の円筒状部２ａの外周部に円形断面の複数（本例では８個）の薬室２５ａ〜２５ｈが形成されている。各薬室２５は、砲身３０と中心軸線が平行をなすように等間隔で形成されている。図２で所定位置（下端部）の薬室２５ｇは、図１に示す砲身３０と中心軸線が合致している。従つて、薬室ドラム２が後記する間欠駆動機構６によつて駆動されて間欠的に回転し、薬室２５がそれぞれ下端部の薬室２５ｇの位置にくることにより、砲身３０と中心軸線が合致する。
【０００８】
薬室ドラム２の円筒状部２ａの後方には、弾薬２４の装填部３及び第１歯車４が順次に形成され、一対形成した装填部３の間の外側には、装填部３に保持された弾薬２４を半円形状の内周面によつて案内するガイド１０を設けてある。ガイド１０は、給弾機９に固設されている。また、薬室ドラム２の円筒状部２ａの後方には、装填部３に保持された弾薬２４を薬室２５に送り込むランマ機構４４が付属されている。
【０００９】
しかして、図２に示す給弾孔４７を通じて給弾機９から装填部３に給弾された弾薬２４は、ランマ機構４４によつて所定の薬室２５に送り込まれる。１０ａは、給弾機９から装填部３に給弾される弾薬２４を案内する案内面であり、ガイド１０に形成されている。給弾孔４７に対応する箇所では、ランマ機構４４のランマ４４ａが図１に示すように最も後退した位置を採り、この位置を採るランマ４４ａの前方に弾薬２４が次々に給弾される。ランマ機構４４は、薬室ドラム２の間欠運動に連動してランマ４４ａに前進及び後退移動を与え、ランマ機構４４の前方に供給された弾薬２４を、射撃前つまり射撃が行なわれる下端部位置の薬室２５ｇに達する前に薬室２５内に押し込んで装填すると共に、射撃に際して砲架４１の閉鎖部４１ａと干渉しない位置にまで後退する機能を有すればよい。しかして、薬室２５に保持された弾薬２４が下端部の薬室２５ｇに達して撃発され、弾丸が発射されれば、薬室ドラム２は駐退復座機構４０の機能を受けつつ後退し、その後に前進復帰する。
【００１０】
薬室ドラム２は、モータ４６を備える間欠駆動機構６によつて駆動されて間欠的に回転する。図示の例では、８個の薬室２５ａ〜２５ｈを備えているので、１ステップは薬室ドラム２の４５°の回転からなり、回転後に停止する。回転と停止とからなるステップの時間つまり発射速度は、間欠駆動機構６のモータ４６の速度を増減変えて調節する。薬室ドラム２は、１ステップ回転する間、衝撃の少ない加速及び減速運動を行なうように間欠駆動機構６で制御される。すなわち、間欠駆動機構６による薬室ドラム２の間欠回転は、発射速度に応じ、かつ、衝撃を緩和するために、間欠回転の開始時と終了時が共に速度が遅く、中間の回転速度が速くなるように設定されている。
【００１１】
給弾機９は、図２，図３に示すように給弾孔４７を形成した給弾機本体１１を有する。給弾機本体１１は、四角筒状をなして前後が開放されたフレーム部１１ａと、フレーム部１１ａの前開口面を覆うように配置した前枠部１１ｂと、フレーム部１１ａの後開口面を覆うように配置した後枠部１１ｃとを有する。フレーム部１１ａの内部には、前後の枠部１１ｂ，１１ｃに適宜の箇所で連結させた支持部材１１ｄが配設されている。
【００１２】
支持部材１１ｄの上部には、軸１９が回転自在（又は回転不可能）に支持され、軸１９の前後両端部には、一対のチェーンホイール１２，１３が回転自在に支持されている。また、支持部材１１ｄの下部には、軸２１が回転自在に支持され、軸２１の前後両端部には、一対のチェーンホイール１４，１５が固着されている。この上下に対をなすチェーンホイール１２，１４及び１３，１５には、それぞれ無端環状のチェーン７，８が巻き掛けられている。後枠部１１ｃには、回転駆動源２２が取り付けられ、軸２１を介してチェーンホイール１４，１５を駆動できるようになつている。
【００１３】
更に、支持部材１１ｄの上下方向の中間部には、軸２０が回転自在に支持され、軸２０の後端部には第２歯車５が固着され、軸２０の中央部には送弾爪車１７が固着されている。第２歯車５は、図１に示すようにフレーム部１１ａと後枠部１１ｃとの間の隙間に位置し、外周の歯部がフレーム部１１ａから若干突出して薬室ドラム２の外周に設けた第１歯車４と噛合している。第１歯車４は、第２歯車５と常時噛合する幅を与えられ、砲架４１、薬室ドラム２及び砲身３０が駐退復座機構４０の機能によつて前進したときは勿論、後退したときも第２歯車５と噛み合いが外れない幅を有している。すなわち、間欠駆動機構６によつて間欠的に回転駆動される第１歯車４と、弾薬２４を装填部３に給弾させる送弾爪車１７と一体回転する第２歯車５とは、機関砲の砲架４１の復座時から後座時まで常時係合する前後方向の幅を与えて噛合させてある。
【００１４】
両歯車４，５の歯数は、薬室ドラム２及び送弾爪車１７が共に１ステップつづ回転するように設定されている。すなわち、本例では、薬室ドラム２には８個の薬室２５が形成され、送弾爪車１７は４個の爪部を有している。従つて、薬室ドラム２が４５°回転する間に送弾爪車１７が９０°回転し、給弾機９からの１個の弾薬２４を装填部３に給弾する必要がある。このため、第１歯車４と第２歯車５との歯数の比は２：１であり、第１歯車４と第２歯車５は逆方向に回転する。このため、第１歯車４と第２歯車５との間に遊動歯車を介在させる場合には、偶数個の遊動歯車とする。
【００１５】
軸１９の中央部には、弾薬用スプロケット１６が回転自在に支持され、また、軸２１の中央部には、弾薬用スプロケット１８が回転自在に支持されている。弾薬用スプロケット１６，１８は、弾薬２４を保持できる形状を有して爪車状をなしている。また、チェーン７，８には、プッシュバー２３が軸１９，２０，２１と平行として連結されている。プッシュバー２３は、チェーンホイール１２，１３，１４，１５を支障なく通過できると共に、弾薬用スプロケット１６，１８も支障なく通過できるように配置されている。図２では、弾薬２４ｃが送弾爪車１７に当たつて停止している状態を示す。弾薬２４ａは、装填部３への受渡し後を示し、弾薬２４ｂは、装填部３への受渡し中にあるものを示す。
【００１６】
しかして、フレーム部１１ａの内部には、支持部材１１ｄの周囲として環状の弾薬供給路１１ｅが区画されている。弾薬２４は、給弾機本体１１内の弾薬供給路１１ｅに図２に示す開口部１１ｆから供給されて積み重ねられた状態で連続的に配置され、その一部は、弾薬用スプロケット１６，１８に保持されている。回転駆動源２２によつて軸２１及びチェーンホイール１４，１５を回転駆動すれば、チェーン７，８を介してチェーンホイール１２，１３が回転駆動されると共に、プッシュバー２３が移動する。このプッシュバー２３の移動により、弾薬供給路１１ｅ内の弾薬２４が押され、弾薬２４ｃが送弾爪車１７に当たつて停止する。従つて、回転駆動源２２は、ばねモータとしての機能を有し、ばねによつて軸２１の回転を常時付勢している。
【００１７】
このように、弾薬供給路１１ｅ内の弾薬２４は、プッシュバー２３に押されて移動する。このため、弾薬用スプロケット１６，１８は、弾薬供給路１１ｅの上下両端部での弾薬２４の折り返しを案内すればよく、弾薬２４の供給のために回転駆動される必要はない。従つて、弾薬用スプロケット１６は、補充のために押し込まれた弾薬２４が通過できるように、チェーンホイール１２，１３と相対回転可能として軸１９に支持されていればよく、チェーンホイール１２，１３は、支持部材１１ｄに対して回転自在として軸１９に支持されていればよい。また、弾薬用スプロケット１８は、プッシュバー２３の復帰移動に際して回転駆動されて弾薬２４が逆流することを防止すると共に、補充のために押し込まれた弾薬２４の通過が許容されるようにするため、軸２１に固着せずに回転自在に支持させてある。
【００１８】
ランマ機構４４の具体例について図５，図６を参照して説明する。このランマ機構４４は、ランマ４４ａをカムドラム４３によつて駆動するようになつている。カムドラム４３は、薬室ドラム２の内部に前方（図５上で左方）から挿入した状態で、前端部４３ａが砲架４１に片持ち状態で固定されている。薬室ドラム２は、前端部が軸受２７にて、また、後端部が軸受２８にて、それぞれカムドラム４３に回転自在に支持され、更に後端部が軸受２９にて、砲架４１に回転自在に支持されている。従つて、薬室ドラム２は、砲架４１及びカムドラム４３に対して回転自在である。
【００１９】
薬室ドラム２の円筒状部２ａよりも後側には、薬室２５に合わせて複数（８個）のランマ案内溝２ｄが形成され、この各ランマ案内溝２ｄにランマ４４ａが摺動自在に係合している。また、各ランマ案内溝２ｄの両側には、前後方向の所定間隔として弾薬保持部２ｂが外径方向に突設され、対向する一対の弾薬保持部２ｂによつて半円形状の弾薬案内部２ｃを形成している。この弾薬保持部２ｂ及び弾薬案内部２ｃは、前述した装填部３に対応している。弾薬２４は、図２に示す給弾孔４７を通じて給弾機９から給弾され、薬室２５よりも後方位置となる所定の弾薬案内部２ｃに送り込まれる。給弾孔４７に対応する箇所では、ランマ４４ａが図５に仮想線で示すように最も後退した位置を採り、この位置を採るランマ４４ａの前方に弾薬２４が次々に供給される。
【００２０】
カムドラム４３は、その後半部、つまり薬室２５よりも後方位置の外周面に複数（本例では８個）の無端つる巻状のカム溝４３ｂが個別に形成され、各カム溝４３ｂに各ランマ４４ａの突起部４４ｂがそれぞれ摺動自在に係合している。しかして、各ランマ４４ａは、それぞれのランマ案内溝２ｄに案内されながら、カム溝４３ｂの溝形状に沿つて薬室２５の後方で弾薬保持部２ｂの間を前後に移動することができる。
【００２１】
間欠駆動機構６によつて薬室ドラム２が一方向（図２に示す矢印Ａ方向）に１ステップ（４５°）回転すれば、各ランマ４４ａは係合するカム溝４３ｂの溝形状つまり傾きに応じて前進又は後退移動する。各ランマ４４ａは、図２に示す薬室２５ａ〜２５ｆの間で５ステップの前進を行なつて弾薬２４を薬室２５に押し込むと共に、薬室２５に残る薬莢２４”を前方に押し出し、薬室２５ｆ〜２５ａの間で最大３ステップの後退を行なつて元位置に復帰する。薬室２５ｆ〜２５ａの間では、１ステップでランマ４４ａを元位置に復帰させることも可能であり、その場合には各ランマ４４ａに前進及び後退をしない停止ステップを組み込むこともできる。しかして、機関砲は、弾薬２４を薬室２５に押し込む動作を行うことにより、薬室２５内に残る薬莢２４”が前方に押し出されて排出されるプッシュスルー方式を構成している。
【００２２】
次に、作用について説明する。
いま、給弾孔４７から次々に供給された弾薬２４が、それぞれの弾薬案内部２ｃ（装填部３）又は薬室２５に保持されているものとする。射撃開始時には、先ず、駆動部２２を起動させ、弾薬供給路１１ｅ内の弾薬２４を送弾爪車１７の下方に当接するまで送る。この極短時間の後に続いて間欠駆動機構６が起動される。間欠駆動機構６によつて薬室ドラム２が一方向（図２に示す矢印Ａ方向）に１ステップ（４５°）回転すれば、各ランマ４４ａは係合するカム溝４３ｂの溝形状つまり傾きに応じて前進又は後退移動する。図２は、ランマ４４ａが、カム溝４３ｂに沿つて前進５ステップ、後退（及び停止）３ステップとした例を示している。薬室２５ａ〜２５ｆに対応する間で前進５ステップを採るランマ４４ａは、弾薬２４を薬室２５に押し込む動作を行い、同時に薬室２５に残る薬莢２４”を前方に押し出して排出する動作を行い、また、薬室２５ｆ〜２５ａに対応する間で後退ステップを採るランマ４４ａは、後退作動を行なつて当初位置に復帰する。従つて、薬室ドラム２が間欠的に３６０°回転する間に、ランマ４４ａは前後進（及び停止）の８ステップを行なう。
【００２３】
この機関砲では、弾薬２４を砲身３０と合致する前の薬室２５ａ〜２５ｆに向けて装填し、薬室２５ｇに達した後に射撃を行うと共に、薬室２５に残つている薬莢２４”は新たな弾薬２４の装填によつて前方へ押し出す。従つて、ランマ４４ａの後退作動は、弾薬２４（又は薬莢２４”）と関係なく行なわれる。
【００２４】
弾薬２４が給弾孔４７から装填部３つまり弾薬案内部２ｃに給弾された状態では、上述したようにランマ４４ａが図５に仮想線で示すように最も後退した位置を採つている。その後、薬室ドラム２の回転に伴つてランマ４４ａが前進を開始し、薬室２５ａ〜２５ｆに対応する間で、弾薬２４が薬室２５に次第に押し込まれて装填が完了する。薬室２５ａ〜２５ｆに対応する間では、未だ、薬室２５の前方が砲身３０によつて支障されず開放されているので、薬室２５内に残つている薬莢２４”が前方に押し出されながら新たな弾薬２４が装填される。
【００２５】
その後、弾薬２４を薬室２５内に残したままでランマ４４ａが後退移動に移行し、下端部の薬室２５ｇの位置で薬室２５ｇの後部が閉鎖部４１ａによつて閉鎖される。この状態で発火装置の作用によつて弾薬２４が撃発され、弾丸２４’が砲身３０から発射され、薬莢２４”が薬室２５ｇ内に残る。ランマ４４ａは、薬室２５ｆ〜２５ａの間で適宜に後退し、図１，図５に示す元位置にまで復帰する。
【００２６】
次に、給弾機９の作用について説明する。
間欠駆動機構６によつて駆動されて薬室ドラム２及び第１歯車４が図２に示す矢印Ａ方向に回転すると、第１歯車４に噛合する第２歯車５の作用によつて軸２０及び送弾爪車１７が図２に示す矢印Ｂ方向に回転し、駆動部２２によつて予め送られて送弾爪車１７の下部に保持されている弾薬２４ｃが装填部３つまり弾薬案内部２ｃに送り込まれる。弾薬２４ｃが装填部３に送り込まれると同時に、駆動部２２の機能により、軸２１及びチェーンホイール１４，１５が回転駆動され、チェーン７，８を介してプッシュバー２３が移動し、プッシュバー２３によつて弾薬２４が押され、弾薬供給路１１ｅ内の次位の弾薬２４が送弾爪車１７の下方にまで送られる。前述したように駆動部２２は、ばねモータとしての機能を有し、内蔵したゼンマイ、ねじりばね等を巻き込んだ蓄力により、軸２１の回転を常時付勢している。このようにして、薬室ドラム２の間欠回転に連動して弾薬２４を次々に装填部３に送り込みながら、装填部３に送り込まれた弾薬２４がランマ４４ａによつて薬室２５に押し込む作用が続けられる。そして、弾薬２４が装填された薬室２５が砲身１の位置の薬室２５ｇにくると、前述したように弾丸２４’が発射されることになる。
【００２７】
弾丸２４’が発射されると、その反動で薬室ドラム２が後方に動いて駐退復座機構４０の機能で緩衝される。しかし、その間にも両歯車４，５の噛み合い状態が維持され、薬室ドラム２の回転が第２歯車５に伝えられ、給弾機９から装填部３への弾薬の給弾は継続して行なわれる。
【００２８】
給弾機９内では、駆動部２２の駆動により、軸２１及びチェーンホイール１４，１５が回転駆動され、一方、チェーンホイール１４，１５の回転により、チェーン７，８を介してチェーンホイール１２，１３が回転する。このチェーン７，８の駆動により、プッシュバー２３によつて弾薬供給路１１ｅ内の弾薬２４が押され、プッシュバー２３が、チェーンホイール１２，１３，１４，１５及び弾薬用スプロケット１６，１８を次々に通過しながら、送弾爪車１７の直下に弾薬２４が補充される。
【００２９】
送弾爪車１７の回転は、両歯車４，５を介して間欠駆動機構６によつてなされる。間欠駆動機構６による薬室ドラム２の間欠回転は、前述したように間欠回転の開始時と終了時が共に速度が遅く、中間の回転速度が速くなるように設定されている。これにより、送弾爪車１７による弾薬２４の送り込み速度も薬室ドラム２と同様に送り込み開始時及び送り込み終了時に低速となる。その結果、弾薬２４が装填部３に高速度で送り込まれて強く衝突することが抑制される。また、送弾爪車１７の下方に送られる次位の弾薬２４は、間欠回転終了時の低速回転状態の送弾爪車１７の爪部に案内されながら送り込まれる。これにより、弾薬２４が送弾爪車１７に高速度で送り込まれて強く衝突することも良好に抑制される。
【００３０】
弾丸２４’の発射に際しては、薬室ドラム２が駐退復座機構４０の機能によつて完全に前進復帰する前に次の弾丸２４’が発射される場合もあり得る。いずれにしても、薬室ドラム２が完全に前進復帰した場合は勿論、最大に後退した場合であつても両歯車４，５の噛み合い状態が維持される幅に両歯車４，５が製作されている。
【００３１】
射撃を停止後、再び射撃を開始する場合も、先ず、駆動部２２を起動させて弾薬供給路１１ｅ内の弾薬２４を送弾爪車１７にまで送るのに要する極短時間を経過した後に間欠駆動機構６が起動するように制御される。これにより、装填部３に弾薬２４の空白を生ずることはなく、射撃の中断は生じない。
【００３２】
弾薬供給路１１ｅ内の弾薬２４が減少したなら、回転駆動源２２を逆回転駆動してプッシュバー２３を図２に示す付近にまで復帰させた後、給弾機本体１１の開口部１１ｆから新たな弾薬２４を押し込む。押し込まれた弾薬２４は、軸１９に回転自在に支持した弾薬用スプロケット１６を回転させながら、プッシュバー２３にまで装填される。弾薬用スプロケット１８が軸２１に回転自在に支持されているので、送弾爪車１７側にも弾薬２４を押し込むことができる。
【００３３】
ところで、上記の１実施の形態にあつては、カムドラム４３のカム溝４３ｂに各ランマ４４ａの突起部４４ｂを摺動自在に係合させ、ランマ４４ａが、ランマ案内溝２ｄに案内されながら、カム溝４３ｂの溝形状に従つて弾薬保持部２ｂの間を前後に移動するようにした。しかし、ランマ機構４４としては、間欠駆動機構６とは別個の駆動機構によつて作動して弾薬２４を射撃前の所定の薬室２５ａ〜２５ｆ内に押し込んで装填する装填機構とすることもできる。
【００３４】
【発明の効果】
以上の説明によつて理解されるように、本発明に係るリボルバタイプ機関砲の弾薬受渡し方法によれば、下記の効果を奏することができる。
給弾機から装填部への弾薬の受渡しは、薬室ドラムの間欠回転に連動して行なわれる。この薬室ドラムの間欠回転は、比較的小さな加速度及び減速度の運動であり、特に間欠回転の終了時の速度が遅くなつているから、これに連動する送弾爪車の回転も同様となり、従来例のような装填部への急激な衝突運動が抑制される。また、給弾機内の弾薬も比較的小さな回転速度の送弾爪車に受け入れながらの衝突となり、同様に衝撃が緩和される。
【００３５】
このため、弾薬、特に薬莢の強度を低下させても凹みを生じ難く、この凹みに伴う不具合を防止することが可能となり、弾薬の小形化及び軽量化が可能となる。加えて、給弾機から装填部までの送弾部の強度も同様に低下させて変形等の不具合を良好に防止することが可能となる。更に、弾薬の小形化及び軽量化が可能となる結果、弾薬の収納スペースが削減されるのみならず、弾薬の移送、装填に要する駆動力が低減され、機関砲の小形化を図ることができる。
【図面の簡単な説明】
【図１】  本発明の１実施の形態に係る機関砲を示す平面図。
【図２】  図１のＩＩ−ＩＩ線断面図。
【図３】  図２のＩＩＩ−ＩＩＩ線断面図。
【図４】  同じく機関砲の概略を示す側面図。
【図５】  同じくランマ機構を備える機関砲をカム溝を一部省略して示す断面図。
【図６】  図５の要部を拡大して示す断面図。
【符号の説明】
１：固定部材、２：薬室ドラム、３：装填部、４：第１歯車、５：第２歯車、６：間欠駆動機構、９：給弾機、１７：送弾爪車、２４：弾薬、２４’：弾丸、２４”：薬莢、２５：薬室、３０：砲身、４０：駐退復座機構、４１：砲架、４４：ランマ機構。
【図１】
0003735442.tif 000002
【図２】
0003735442.tif 000003
【図３】
0003735442.tif 000004
【図４】
0003735442.tif 000005
【図５】
0003735442.tif 000006
【図６】
0003735442.tif 000007